(57)【特許請求の範囲】
【請求項１】
室内の天井面に配置される箱状のチャンバと、第一給気手段から送給される第一空気を室内の所定方向へ吹き出すため前記チャンバの正面部に設けられた偏向手段付きの複数の第一吹出口と、第二給気手段から送給される第二空気を室内へ吹き出すため前記第一吹出口と隣り合う位置に開設された第二吹出口と、を備え、前記第二吹出口から吹き出す第二空気を前記チャンバの正面部に滞留させる滞気手段を設け、
前記正面部の周縁形状を多角形若しくは閉曲線とし、その角隅寄りの領域若しくは周縁寄りの領域にそれぞれ前記第一吹出口を設け、隣り合う前記第一吹出口の間に前記第二吹出口を設けたことを特徴とする空調用吹出器。
【請求項２】
前記滞気手段として、通気性を有する多孔部材、網状部材若しくはスリット部材を前記第二吹出口に設けたことを特徴とする請求項１記載の空調用吹出器。
【請求項３】
前記偏向手段として、空気の吹出方向を変更可能な風向部材を前記第一吹出口に設けたことを特徴とする請求項１または２記載の空調用吹出器。
【発明の詳細な説明】
【技術分野】
【０００１】
本発明は、病院や医院などの病室内を空調するため病室の天井面に配備される空調用吹出器に関する。
【背景技術】
【０００２】
複数のベッドが配置された病室の空調システムとして、従来、使用されている天井埋込カセット型空調機は、病室全体を空調する方式であるため、病室内の各ベッドに対して個別に空調することができない。このため、空調が必要な入院者、不要な入院者に個別に対応することができない。
【０００３】
また、天井埋込カセット型空調機にて空調を行った場合、病室内の窓側のベッド付近と廊下側のベッド付近との間に室温差が生じることも多い。特に、夏場は、同じ病室内でも冷房の効き具合に大きな差が生じ、窓側のベッド付近は暑く、廊下側のベッド付近は涼しいという状態になりやすく、空調効率の低下を招いている。
【０００４】
さらに、各ベッドの在室者の要望に応じたり、快適性を高めたりするため、各ベッド近傍に空調空気を供給する吹出口を設置し、在室者が風向や風量を調整できる機能を付加したパーソナル空調システムも提案されている。パーソナル空調システムは、個々の在室者が好みの空調状態を設定することができるため、快適性は向上するが、各ベッドに配置する吹出口とそれに接続するダクトを必要とするため、部材数の増大、構造の複雑化を招いている。
【０００５】
一方、空調機器から供給される空調空気を複数方向へ吹出可能であって、それぞれの吹出方向も変更することのできる機能を有する多方向送風器が提案されている（例えば、特許文献１参照。）。前記多方向送風器は、図１１に示す多方向送風器８１のように、空調機器（図示せず）に連通する送風用ダクト８２を背面部に備えた箱状のチャンバケーシング８３の正面部に４個の空気吹出口８４が設けられ、これらの空気吹出口４にそれぞれ簀の子状の気流偏向器８５が着脱自在に装着されている。
【０００６】
簀の子状の気流偏向器８５は、チャンバケーシング８３内から送られる空調空気を正面やや斜め方向に偏向させて吹き出す作用を有するので、これらの気流偏向器８５をそれぞれ図１２に示すような姿勢で空気吹出口８４に装着すれば、各空気吹出口８４からの空調空気の吹出方向を図１３に示す状態に設定することができる。
【０００７】
従って、４台のベッドが病室の四隅寄りの領域にそれぞれ配置された病室の空調システムとして、図１１に示す多方向送風器８１を病室の天井面の中央部分に配備するとともに、図１３に示す状態に空調空気の吹出方向Ｄ１を設定すれば、それぞれのベッドに向かって空調空気Ａ１を吹き出すことができる。
【先行技術文献】
【特許文献】
【０００８】
【特許文献１】実開平３−１２７１４７号公報
【発明の概要】
【発明が解決しようとする課題】
【０００９】
複数のベッドが配置された病室の空調システムとして、図１１に示す多方向送風器８１を病室の天井面に配備した場合、冷房時に各空気吹出口８４から吹き出す空調空気流は温度の高い室内空気を誘引しながら各ベッドに向かって流動するので、ベッドに到達した空気流の温度は室温と殆ど同等となる。このため、空調効率が低下するだけでなく、ベッド上の在室者も快適性を体感し難くなる。また、温度の高い室内空気が、低温状態にあるチャンバケーシング８３の正面部に接触して冷やされることにより、正面部に結露が生じることが多い。
【００１０】
本発明が解決しようとする課題は、室内空気の誘引流動に起因する空調効率の低下を抑制し、冷房運転中の結露を防止することができ、単一のユニットでありながらパーソナル空調と同様の空調効果を得ることができる空調用吹出器を提供することにある。
【課題を解決するための手段】
【００１１】
本発明の空調用吹出器は、室内の天井面に配置される箱状のチャンバと、第一給気手段から送給される第一空気を室内の所定方向へ吹き出すため前記チャンバの正面部に設けられた偏向手段付きの複数の第一吹出口と、第二給気手段から送給される第二空気を室内へ吹き出すため前記第一吹出口と隣り合う位置に開設された第二吹出口と、を備え、前記第二吹出口から吹き出す第二空気を前記チャンバの正面部に滞留させる滞気手段を設け、
前記正面部の周縁形状を多角形若しくは閉曲線とし、その角隅寄りの領域若しくは周縁寄りの領域にそれぞれ前記第一吹出口を設け、隣り合う前記第一吹出口の間に前記第二吹出口を設けたことを特徴とする。
【００１２】
このような構成とすれば、第二吹出口から吹き出す第二空気は滞気手段の作用により指向性が弱まり、直ちに室内へ流動することなく、チャンバの正面部に滞留した状態を保つので、第一吹出口から吹き出す第一空気は、その周囲に滞留している第二空気を誘引しながら、偏向手段で定められた所定方向へ流動する。これにより、第一吹出口から吹き出す第一空気による室内空気の誘引が抑制されるので、室内空気の誘引流動に起因する空調効率の低下を抑制することができる。
【００１３】
また、第一空気、第二空気の少なくとも一方が空調空気である場合、第一吹出口及び第二吹出口から吹き出された空気流を、室内空気と所定の温度差を保った状態で室内の所定方向へ供給することができるので、単一のユニットでありながらパーソナル空調と同様の空調効果が得られ、快適性が向上する。さらに、本発明の空調用吹出器を冷房システムに利用した場合、第二吹出口から吹き出す第二空気がチャンバの正面部に滞留することにより、温度の高い室内空気がチャンバの正面部へ接触するのを回避することができるので、冷房運転中の結露を防止することができる。
【００１４】
ここで、前記滞気手段として、通気性を有する多孔部材、網状部材若しくはスリット部材を前記第二吹出口に設けることが望ましい。このような構成とすれば、第二吹出口から吹き出す第二空気が、多孔部材に開設された複数の小孔を通過して分散され、指向性が弱められることによりチャンバの正面部に滞留した状態となるので、極めて簡素な形状でありながら、優れた滞留効果が得られる。従って、室内空気の誘引流動を回避することによる空調効率の向上及び結露防止に有効である。
【００１５】
また、前記偏向手段として、気流吹出方向を変更可能な風向部材を前記第一吹出口に設ければ、第一吹出口から吹き出す第一空気を効率良く室内の所定方向へ誘導することができる。
【００１６】
一方、本発明の空調用吹出器においては、前記正面部の周縁形状を多角形若しくは閉曲線とし、その角隅寄りの領域若しくは周縁寄りの領域にそれぞれ前記第一吹出口を設け、隣り合う前記第一吹出口の間に前記第二吹出口を設けている。このような構成の空調用吹出器を室内の天井面の中央部に配備すれば、第一吹出口から吹き出す第一空気によって誘引された第二空気を室内の角隅部分に向かって吹き出すことが可能となるので、角隅部分にそれぞれベッドが配置された室内を効率良く空調することができ、結露も防止することができる。
【発明の効果】
【００１７】
本発明により、室内空気の誘引流動に起因する空調効率の低下を抑制し、冷房運転中の結露を防止することができ、単一のユニットでありながらパーソナル空調と同様の空調効果を得ることができる空調用吹出器を提供することができる。
【図面の簡単な説明】
【００１８】
【図１】本発明の第一実施形態である空調用吹出器の概略構成を示す一部省略斜視図である。
【図２】図１に示す空調用吹出器の一部省略背面図である。
【図３】図１に示す空調用吹出器の正面図である。
【図４】図３のＸ−Ｘ線における断面図である。
【図５】図１に示す空調用吹出器を使用した空調システムの施工例を示す模式図である。
【図６】本発明の第二実施形態である空調用吹出器の概略構成を示す一部省略斜視図である。
【図７】図６に示す空調用吹出器の正面図である。
【図８】図７のＹ−Ｙ線における断面図である。
【図９】本発明のその他の実施形態である空調用吹出器を示す正面図である。
【図１０】本発明のその他の実施形態である空調用吹出器を示す正面図である。
【図１１】従来の多方向送風器を示す斜視図である。
【図１２】図１１に示す多方向送風器の正面図である。
【図１３】図１２に示す多方向送風器からの空気吹出状態を示す模式図である。
【発明を実施するための形態】
【００１９】
以下、図面に基づいて、本発明の実施の形態について説明する。図１〜図４に示すように、本発明の第一実施形態である空調用吹出器１０は、室内の天井面Ｃに配置される直方体箱状のチャンバ１１と、第一給気手段である外調機２５（図５参照）から送給される外気ＯＡ（第一空気）を室内の所定方向へ吹き出すためチャンバ１１の正面部１２に設けられた４つの外気吹出口１４（第一吹出口）と、第二給気手段である空調機２６（図５参照）から送給される空調空気ＳＡ（第二空気）を室内へ供給するため外気吹出口１４と隣り合う位置に開設された４つの調気供給口１６（第二吹出口）と、を備えている。正面部１２は複数のネジ２３を用いてチャンバ１１に着脱可能に取り付けられている。
【００２０】
各外気吹出口１４にはそれぞれ偏向手段である風向部材１３が装着され、調気供給口１６には調気供給口１６から吹き出す空調空気ＳＡをチャンバ１１の正面部１２に滞留させる滞気手段である多孔部材１６ｐが設けられている。図３に示すように、多孔部材１６ｐには多数の小孔１６ａが開設され、正面形状が円形をした風向部材１３は、その直径に相当する位置に沿って形成された帯状の支持部１３ｂを境界に２つの半円領域に区画され、それぞれの半円領域に形成された複数の羽根板１３ａは支持部１３ｂを中心に左右対称に配置され、左右の羽根板１３ａの長手方向は互いに約１４０°程度の角度をなしている。
【００２１】
図１に示すように、建物（図示せず）の外部から取り込み、外調機２５（図５参照）で調整した外気ＯＡをチャンバ１１に向かって送給するための４本の外気供給管１７はチャンバ１１の背面部１９から正面部１２に向かって当該チャンバ１１を貫通して配置され、空調機２６（図５参照）から送給される空調空気ＳＡをチャンバ１１内へ送給する調気供給管２０はチャンバ１１の背面部１９に接合されている。４本の外気供給管１７はチャンバ１１の内部と連通することなく正面部１２の外気吹出口１４に開口し、調気供給管２０はチャンバ１１の背面部１９においてチャンバ１１内に連通している。調気供給管２０と背面部１９との接合部２１付近には、流量調整弁２２が設けられている。
【００２２】
図３に示すように、チャンバ１１の正面部１２に開口した４つの外気吹出口１４及びこれらの外気吹出口１４に装着された風向部材１３の正面形状はいずれも円形であり、風向部材１３は外気吹出口１４の周縁に内接した状態で装着されている。風向部材１３は、外気吹出口１４内において軸心１４ｃを中心に回転可能であるため、それぞれの風向部材１３からの気流吹出方向を軸心１４ｃ周りの任意の方向に設定することができる。
【００２３】
空調用吹出器１０の調気供給管２０、外気供給管１７にそれぞれ空調空気ＳＡ、外気ＯＡを供給すると、空調空気ＳＡは調気供給管２０から接合部２１を経由してチャンバ１１内へ流入して拡散した後、複数の多孔部材１６ｐを通過して室内側へ吹き出し、外気ＯＡは外気供給管１７内を通過して正面部１２に開口する外気吹出口１４に装着された風向部材１３を通過して室内側へ吹き出す。
【００２４】
このとき、空調空気ＳＡは、滞気手段である多孔部材１６ｐの多数の小孔１６ａを通過することにより分散され、指向性が弱まった状態で吹き出すので、直ちに室内へ流動せず、チャンバ１１の正面部１２に沿って滞留する。これにより、チャンバ１１の正面部１２への室内空気の接近が回避されるので、外気吹出口１４から吹き出す外気ＯＡ流は、室内空気の誘引を抑えつつ、チャンバ１１の正面部１２に滞留している空調空気ＳＡを誘引しながら、風向部材１３で設定された方向へ流動する結果、室内空気の誘引流動に起因する空調効率の低下を抑制することができる。
【００２５】
また、調気供給口１６の多孔部材１６ｐから吹き出す空調空気ＳＡがチャンバ１１の正面部１２に滞留することにより、温度の高い室内空気がチャンバ１１の正面部１２へ接触するのを回避することができるので、冷房運転中の結露を防止することができる。
【００２６】
空調用吹出器１０においては、空調空気ＳＡの滞気手段として、通気性を有する多数の小孔１６ａを有する多孔部材１６ｐを調気供給口１６に設けているので、極めて簡素な形状でありながら、空調空気ＳＡに対する優れた滞留効果を発揮することができ、空調効率の向上及び結露防止に有効である。なお、滞気手段は多孔部材１６ｐに限定しないので、通気性を有する網状部材若しくはスリット部材を採用することもできる。また、外気供給口１４の偏向手段として、気流吹出方向を変更可能な風向部材１３を設けたことにより、外気吹出口１４から吹き出す外気ＯＡを予め設定された方向へ効率良く誘導することができるため、単一のユニットでありながらパーソナル空調と同様の空調効果を得ることもできる。
【００２７】
次に、図５に基づいて、空調用吹出器１０の施工例について説明する。図５は、空調用吹出器１０を使用した空調システムを病室Ｒに配備した状態を模式的に示している。病室Ｒ内の四隅寄りの領域にそれぞれベッドＢが配置され、４台のベッドＢから略同距離であって病室Ｒの略中心部の天井面に空調用吹出器１０が配置されている。なお、図５においては、説明の都合上、本来は下向きに配置される、空調用吹出器１０のチャンバ１１の正面部１２が見えるように描いている。
【００２８】
図５に示すように、空調用吹出器１０に外気ＯＡを送給する外調機２５からの配管２５ｐが外気供給管１７に接続され、空調用吹出器１０に空調空気ＳＡを供給する空調機２６からの配管２６ｐが調気供給管２０に接続され、空調機２６からの配管２６ｐから分岐した配管２７ｐが窓側の天井面に配置された複数のライン型吹出器２４に接続されている。また、チャンバ１１の正面部１２の４つの外気吹出口１４に装着された風向部材１３は、それぞれのベッドＢに向かって外気流を吹き出すように風向設定されている。
【００２９】
さらに、空調用吹出器１０においては、図３に示すように、チャンバ１１の正面部１２の周縁形状を正方形とし、その四隅寄りの領域にそれぞれ外気吹出口１４を開設するとともに、隣り合う外気吹出口１４の間に、空調空気ＳＡを病室Ｒへ供給する調気供給口１６が設けられている。
【００３０】
図５に示すように、空調用吹出器１０を病室Ｒ内の天井面の略中央部に配備すれば、調気供給口１６の多孔部材１６ｐから吹き出され正面部１２に滞留する空調空気ＳＡは、外気吹出口１４の風向部材１３から吹き出す外気ＯＡによって誘引され、病室Ｒ内の四隅部分に向かって流動する。従って、病室Ｒ内の空気の誘引流動に起因する空調効率の低下が抑制され、四隅寄りの部分にそれぞれベッドＢが配置された病室Ｒ内を効率良く空調することができ、チャンバ１１の正面部１２における結露発生も防止することができる。
【００３１】
図５に示すように、空調用吹出器１０を配備することにより、ベッドＢごとに個別の吹出口を設けることなく、共用部に設けた１台の当該空調用吹出器１０で病室Ｒ内の空調を行うことができる。従って、空調用吹出器１０は、在室者の間近に個別の吹出口を設け、在室者に対し、直接、空調空気を吹き出す従来の空調システム、即ち、周囲の空気を空調空気で誘引せずに（誘引する前に）在室者に供給するパーソナル空調システムよりも簡素化した空調システムを構築することが可能となり、設備コストの低減、施工コストの低減を図ることができる。
【００３２】
空調用吹出器１０は、外気吹出口１４の風向部材１３から吹き出す外気ＯＡが誘引する空気が、温度の高い室内空気ではなく、空調空気ＳＡであるため、温度減衰を抑えながら各ベッドＢ上の在室者に空調空気ＳＡの気流を到達させることができる。従って、共用部に１台の空調用吹出器１０を設置することにより、到達距離が長くなっても在室者に温度減衰の少ない気流を供給することが可能となり、パーソナル空調と同様の空調効果を得ることができる。また、室温と所定の温度差を保った空調空気ＯＡ流をベッドＢ上の在室者に対して供給することができるので、在室者の快適性も向上する。
【００３３】
また、病室Ｒ内の各ベッドＢの周りには開閉自在なカーテン３７が設けられていることが多いが、空調用吹出器１０を用いた空調システムを配備したことにより、各カーテン３７の開閉状態に関係なく、ベッドＢごとの空調が可能となる。即ち、一般の病室Ｒに多用されている天井吊り下げ式のカーテン３７においては、その上縁部と病室Ｒの天井面との間に隙間が存在しているので、カーテン３７が開放されているときは勿論、カーテン３７が閉じられ、ベッドＢの周りがカーテン３７で囲まれている状態であっても、空調用吹出器１０から吹き出した外気ＯＡに伴う空調空気ＯＡ流が、室温と所定の温度差を保ったまま、前記隙間を通過してベッドＢ上の在室者に到達することとなり、ベッドＢごとの空調が可能である。
【００３４】
本実施形態の空調用吹出器１０では、円形の風向部材１３を、正面部１２に対して回動可能に保持しているため、風向部材１３を回転させることによって外気ＯＡ流の吹出方向の調整が可能である。実際には、ベッドＢ上の在室者が空調を必要とする場合は、風向部材１３の吹出方向を在室者側に向けることで空調空気ＳＡ流を供給することができる。また、冷房運転中に在室者が寒さを感じた場合（空調を必要としない場合）は、風向部材１３を回転させその吹出方向を病室Ｒの共用部側へ向ければ、在室者は寒さを感じることがなくなるので、在室者が要望する空調を実現することができる。さらに、ベッドＢ上の在室者全員が空調を必要としない場合は、それぞれの風向部材１３を回転させて気流の吹出方向を全て病室Ｂの共用部側に向けることによって対応することができる。なお、風向部材１３の回転操作は、在室者が操作棒などを用いて病室Ｂ内から操作することができるようになっている。
【００３５】
空調用吹出器１０の意匠性を向上させため、正面部１２の前面全体をパンチングのフェースとし、フェース上面に風向部材及び空調空気ＳＡの吹出口を同様に設けることもできる。この場合、パンチングの目が細かすぎると風向部材からの気流の指向性が弱まることがあるので、使用状況に応じて目の細かさを調整する必要がある。
【００３６】
次に、図６〜図８に基づいて、本発明の第二実施形態について説明する。図６，図７に示すように、本実施形態の空調用吹出器３０は、室内の天井面Ｃに配置される直方体箱状のチャンバ３１と、第一給気手段であるから外調機（図示せず）から送給される外気ＯＡ（第一空気）を室内の所定方向へ吹き出すためチャンバ３１の正面部３２に設けられた４つの外気吹出口１４（第一吹出口）と、第二給気手段である空調機（図示せず）から送給される空調空気ＳＡ（第二空気）を室内へ供給するため外気吹出口１４と隣り合う位置に開設された４つの調気供給口１６（第二吹出口）と、を備えている。
【００３７】
各外気吹出口１４にはそれぞれ偏向手段である風向部材１３が装着され、調気供給口１６には、当該調気供給口１６から吹き出す空調空気ＳＡをチャンバ３１の正面部３２に滞留させる滞気手段である多孔部材１６ｐが設けられている。正面部３２は複数のネジ２３を用いてチャンバ３１に着脱可能に取り付けられている。
【００３８】
チャンバ３１の片方の側面部３１ｑには、外気ＯＡをチャンバ３１内へ流入させるための外気供給管３３が接合され、側面部３１ｑと対向する他方の側面部３１ｒには、空調空気ＳＡをチャンバ３１内へ流入させるための調気供給管３４が接合されている。外気供給管３３及び調気供給管３４内には、それぞれ流入量を増減させるための流量調整弁３５，３６が設けられている。チャンバ３１内は、正面部３２と平行に距離を隔てて配置された２枚の区画板３１ａ，３１ｂによって３つの分室３１ｓ，３１ｔ，３１ｕに区画されている。
【００３９】
外気ＯＡをチャンバ３１内へ流入させるための外気供給管３３は、チャンバ３１内の分室３１ｕの直下に位置する分室３１ｔ内へ連通し、区画板３１ａの開口部３１ｗの周囲に開設された４つの開口部３１ｘと、正面部３２に開設された４つの外気吹出口１４と、をそれぞれ接続する４本の連接管３３ａが設けられている。これにより、分室３１ｔは、複数の連接管３３ａを経由し、正面部３２の複数の外気吹出口１４から大気中に向かって開放している。
【００４０】
空調空気ＳＡをチャンバ３１内へ流入させるための調気供給管３４は、チャンバ３１内の最上部に位置する分室３１ｕ内へ連通し、区画板３１ｂの中央部分の開口部３１ｖと、区画板３１ａの中央部分の開口部３１ｗと、を接続する連接管３４ａが設けられている。これにより、分室３１ｕは、連接管３４ａを経由して、正面部３２の直上に位置する分室３１ｓ内へ連通し、正面部３２に開設された複数の調気供給口１６から大気中に向かって開放している。
【００４１】
以上の構成により、図７，図８に示すように、チャンバ３１内には、外気供給管３３から分室３１ｔ及び４本の連接管３３ａを経由して正面部３２の４つの外気吹出口１４に至る外気ＯＡの流動経路と、調気供給管３４から分室３１ｕ、連接管３４ａ及び分室３１ｓを経由して正面部３２の４つの調気供給口１６に至る空調空気ＳＡの流動流路と、が存在することとなる。また、前述した、外気ＯＡの流動経路と、空調空気ＳＡの流動流路と、はチャンバ３１内において互いに連通することなく、独立している。
【００４２】
図８に示すように、調気供給管３４を経由して供給された空調空気ＳＡは、チャンバ３１内の分室３１ｕ及び連接管３４ａを通過して分室３１ｓへ流入して拡散した後、正面部１２に設けられた４つの多孔部材１６ｐを通過して室内側へ吹き出す。また、外気供給管３３を経由して供給された外気ＯＡは、チャンバ３１内の分室３１ｔ及び４本の連接管３３ａを経由して正面部３２の４つの外気吹出口１４に装着された風向部材１３を通過して室内側へ吹き出す。
【００４３】
このとき、空調空気ＳＡは、図７，図８に示すように、滞気手段である多孔部材１６ｐの多数の小孔１６ａを通過することにより分散され、指向性が弱まった状態で外部へ吹き出されるので、直ちに室内へ流動せず、チャンバ３１の正面部３２に沿って滞留する。これにより、チャンバ３１の正面部３２への室内空気の接近が回避されるので、外気吹出口１４から吹き出す外気ＯＡは、室内空気の誘引を抑制しつつ、チャンバ３１の正面部３２に滞留している空調空気ＳＡを誘引しながら、風向部材１３で設定された所定方向へ流動していく。従って、室内空気の誘引流動に起因する空調効率の低下を抑制することができるだけでなく、単一のユニットでありながらパーソナル空調と同様の空調効果を得ることができる。
【００４４】
また、図７に示す調気供給口１６の多孔部材１６ｐから吹き出す空調空気ＳＡがチャンバ３１の正面部３２に滞留することにより、温度の高い室内空気がチャンバ３１の正面部３２へ接触するのを回避することができるので、冷房運転中の結露を防止することもできる。なお、外気吹出口１４及び調気供給口１６の個数、配置などは図７に示す形態に限定しないので、病室の広さや天井の高さあるいはその他の使用条件に応じた個数、配置の形態とすることができる。
【００４５】
次に、図９，図１０に基づいて、本発明のその他の実施形態について説明する。本発明は図３，図７で示した空調用吹出器１０，３０に限定しないので、例えば、図９に示す空調用吹出器６０のように、チャンバ６１の正方形状をした正面部６２の四隅部分に風向板１３付きの外気吹出口１４を配置するとともに、正面部６１の中心部分に正方形状をした調気供給口６５及び多数の小孔６６ａを有する多孔部材６６ｐを設けることもできる。
【００４６】
また、図１０に示す空調用吹出器７０のように、チャンバ７１の長方形状をした正面部７２の四隅部分に風向板１３付きの外気吹出口１４を配置するとともに、正面部７１の中心部分に長方形状をした調気供給口７５及び多数の小孔７６ａを有する多孔部材７６ｐを設けることもできる。
【産業上の利用可能性】
【００４７】
本発明の空調用吹出器は、病院や医院などの病室内の空調システムの一部として広く利用することができる。
【符号の説明】
【００４８】
１０，３０，６０，７０  空調用吹出器
１１，３１，６１，７１  チャンバ
１２，３２，６２，７２  正面部
１３  風向部材
１３ａ  羽根板
１３ｂ  支持部
１４  外気吹出口
１４ｃ  軸心
１６，６５，７５  調気供給口
１６ａ，６６ａ，７６ａ  小孔
１６ｐ，６６ｐ，７６ｐ  多孔部材
１７，３３  外気供給管
１９  背面部
２０，３４  調気供給管
２１  接合部
２２，３５，３６  流量調整弁
２３  ネジ
２４  ライン型吹出口
２５  外調機
２６  空調機
２５ｐ，２６ｐ，２７ｐ  配管
３１ａ，３１ｂ，３１ｃ  区画板
３１ｑ，３１ｒ  側面部
３１ｓ，３１ｔ，３１ｕ  分室
３１ｖ，３１ｗ，３１ｘ  開口部
３３ａ，３４ａ  連接管
３７  カーテン
Ｂ  ベッド
Ｃ  天井面
ＳＡ  空調空気
ＯＡ  外気
Ｒ  病室
【図１】
0005523865.tif 000002
【図２】
0005523865.tif 000003
【図３】
0005523865.tif 000004
【図４】
0005523865.tif 000005
【図５】
0005523865.tif 000006
【図６】
0005523865.tif 000007
【図７】
0005523865.tif 000008
【図８】
0005523865.tif 000009
【図９】
0005523865.tif 000010
【図１０】
0005523865.tif 000011
【図１１】
0005523865.tif 000012
【図１２】
0005523865.tif 000013
【図１３】
0005523865.tif 000014